(57)【要約】      （修正有）【課題】開封した食品袋等を湿気等から遮断し安全に保存するための封止手段である包装袋用閉じ具を提供する。【解決手段】適当長さに成る載受材１の先端に設けた模様突起部の半部材３の内側部分を載受杆の内側部と一体の凹形状に形成する。上記の載受材の基端部の左右両側に突軸を設け、適当長さに成る嵌合材９の先端に設けた模様突起部の半部材１２の内側部分を嵌合材の内側部と一体の凹形状に形成する。上記の嵌合材の基端に外部に水平に突設した摘み片１０を設け、この摘み片の内側の凹形状部の左右両側に通孔を設け、前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにして成る。【選択図】図２
0003164947.tif 000002
【実用新案登録請求の範囲】
【請求項１】
適当長さに成る載受材の先端に設けた模様突起部の半部材の内側部分を載受杆の内側部と一体の凹形状に形成し、そのように成る載受材の基端部の左右両側に突軸を設け、
適当長さに成る嵌合材の先端に設けた模様突起部の半部材の内側部分を嵌合材の内側部と一体の凹形状に形成し、そのように成る嵌合材の基端に外部に水平に突設した摘み片を設け、この摘み片の内側の凹形状部の左右両側に通孔を設け、
前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにして成ることを特徴とする
包装袋用閉じ具。
【請求項２】
嵌合材の基端に設ける摘み片に掛止口を設けて成る請求項１に記載した包装袋用閉じ具。
【考案の詳細な説明】
【技術分野】
【０００１】
本考案は、包装袋用閉じ具に関するもので、開封した食品袋等を湿気等から遮断し安全に保存するための封止手段である。
【背景技術】
【０００２】
本考案者は、かつて意匠登録第１００６７１５号（特許文献１）に係る意匠を創作して実施していたが、この閉じ具を開閉操作するためには、左右両手の両指先を強力に作動しなければならない不便があったし、また特許文献２に例示するような公知の考案は、水平方向へのスライド開閉であるため十分な開閉作業ができない欠点があった。
【先行技術文献】
【特許文献】
【０００３】
【特許文献１】意匠登録第１００６７１５号公報
【特許文献２】登録実用新案第３１３１８４４号公報
【考案の概要】
【考案が解決しようとする課題】
【０００４】
そこで、本考案は、従来物のこのような欠点を一掃した実用性の高い閉じ具を提供することを目的とする。
【課題を解決するための手段】
【０００５】
本考案は、適当長さに成る載受材の先端に設けた模様突起部の半部材の内側部分を載受杆の内側部と一体の凹形状に形成し、そのように成る載受材の基端部の左右両側に突軸を設け、適当長さに成る嵌合材の先端に設けた模様突起部の半部材の内側部分を嵌合材の内側部と一体の凹形状に形成し、そのように成る嵌合材の基端に外部に水平に突設した摘み片を設け、この摘み片の内側の凹形状部の左右両側に通孔を設け、前記載受材を嵌合材の内側の凹形状部内に嵌合したとき、載受材基端部の左右突軸を前記嵌合材基端部の左右通孔に枢着し、この突軸と通孔とを支点に載受材に対し嵌合材を開閉し得るようにして成るものである。
【０００６】
また、載受材と嵌合材とは、その模様突起部の各半部材の内側接触部分に、上下に対面して接触する水平段部と左右に対面して接触する垂直段部をそれぞれ設けている。
【０００７】
さらに、嵌合材の基端部に設けた摘み片には掛止口を設けている。
【考案の効果】
【０００８】
本具を使用することによって人は、片方の親指側を支持点におき、他方の親指側を開閉操作点におくという簡単な力作業によって、確実に包装袋の開閉を行うことができ、実用性がきわめて高い用具である。
【図面の簡単な説明】
【０００９】
【図１】全体の閉口時の正斜視図
【図２】全体の開口時の正斜視図
【図３】全体の開口時の背斜視図
【図４】図１Ａ−Ａ線の断面図
【図５】拡大要部の一部切欠正面図
【図６】操作開始時の正斜視図
【図７】操作直後の正斜視図
【考案を実施するための形態】
【００１０】
使用者は、一時的に開封した包装袋の開口部を再び封止するときは、まず一方の片手の親指を嵌合材の摘み片上面に押し当てるとともに人差指を摘み片の一側面に当接し、かつ中指の側面部分を摘み片の下面に当接し、他方の片手の親指を載受材の模様突起部の上面に押し当てるとともに人差指を他方の嵌合材の模様突起部の下面に押し当て、かつ中指を接合する両模様突起部の載受材側の半部材の下面凹部に挿入して固定し、しかる後に、摘み片を抑止した３本の指先を支点として、載受材の半部材を抑止したまま嵌合材側の半部材を下方から人差指によって押し上げる。すると、嵌合材は上方作動して開口するから、適度の開口状態において、本具を包装袋の開口部分にその載受材を一方の外側位置におき、嵌合材を他方の外側位置に配した後、再び摘み片の把持部を支点に嵌合材の模様突起部の半部材を上方から押圧する。すると、この半部材の内側接触面の水平段部と垂直段部とは、載置材の模様突起部の半部材の内側接触面の水平段部と垂直段部に接して嵌合するようになるから、これで封止は完了することになる。
【００１１】
封止した包装袋を再び開口するときは、前記した作用を繰り返して行えばよい。（以上につき、図６及び図７参照）
【実施例】
【００１２】
１は断面略冂形状に成る適当長さの載受材で、この載受材の上面部２は円弧形状に成る。
【００１３】
３は前記載受材１の先端に設けた任意の模様突起部の半部材で、この半部材の内側接触面部には水平段部４を設けるとともに垂直段部５を形成する。
【００１４】
前記模様突起部の半部材３の内側部分は前記載受材１の内側部分と一体の凹形状に成り、６はこの載受材１及び模様突起部の半部材３にかけて一体に成る凹形状部を示す。
【００１５】
７は前記載受材１の基端に形成する巾狭に成る基端部で、この基端部の左右両側部には突軸８，８を設けるが、前記基端部７の内側部分は前記載受材１の内側部と一体の凹形状を形成する。
【００１６】
９は断面略冂形状に成る適当長さの嵌合材で、この嵌合材の内側凹部分は前記載受材１の上面部２に向けて嵌合する円弧形状に成る。（図４参照）
【００１７】
１０は前記嵌合材９の基端の外部に水平に突設した摘み片で、この摘み片の厚さと大きさは、人の親指巾が上方から抑止し、中間には人差指が当接し、下方から中指が支持するほどに成る。
【００１８】
前記摘み片１０には掛止口１１を設ける。
【００１９】
１２は前記嵌合材９の先端に設けた任意の模様突起部の半部材で、この半部材の内側接触面部には水平段部１３を設けるとともに垂直段部１４を形成する。
【００２０】
前記模様突起部の半部材１２の内側部分は、前記嵌合材９の内側部分と一体の凹形状に成り、１５はこの嵌合材９及び模様突起部の半部材１２にかけて一体に成る凹形状部を示す。
【００２１】
１６は前記内側凹部を形成する嵌合材９の基端部の前記摘み片１０の内側に形成した凹室で、この凹室には左右両側部から突出した画壁１７，１７と通孔１８，１８を設けている。
【００２２】
前記載受材１を嵌合材９の凹部分内に嵌合するとき、載受材１の基端部７の左右両側部に設けた突軸８，８が、前記嵌合材の基端部の凹室１６内の左右の通孔１８，１８に枢着し、ここを支点に嵌合材９は載受材１との間に開閉作動するようになる。
【符号の説明】
【００２３】
１                    載受材
２                    上面部
３                    半部材
４                    水平段部
５                    垂直段部
６                    凹形状部
７                    基端部
８，８                突軸
９                    嵌合材
１０                  摘み片
１１                  掛止口
１２                  半部材
１３                  水平段部
１４                  垂直段部
１５                  凹形状部
１６                  凹室
１７，１７            画壁
１８，１８            通孔
【図１】
0003164947.tif 000003
【図２】
0003164947.tif 000004
【図３】
0003164947.tif 000005
【図４】
0003164947.tif 000006
【図５】
0003164947.tif 000007
【図６】
0003164947.tif 000008
【図７】
0003164947.tif 000009